(57)【要約】  3Gシステムでは、UE50がCE Modeに対応していることを示すUE Capabilityが保持されず、LTEシステムでは、当該UE Capabilityが保持される。eNB100Bは、UE50の3GシステムからLTEシステムへの遷移を制御する。UE50がLTEシステムに遷移する場合、eNB100Bは、UE50のUE Capabilityを問い合わせるUE Capability EnquiryをUE50に送信し、UE50がCE Modeに対応しているか否かを含むUE CapabilityをUE50から取得する。
2019030938.tif 000002
【特許請求の範囲】
【請求項１】
第１無線通信システムと、第２無線通信システムとを含む無線通信システムにおいて用いられるとともに、前記第２無線通信システムを構成する無線基地局であって、
前記第１無線通信システムでは、ユーザ装置がカバレッジ拡張モードに対応していることを示す能力情報が保持されず、
第２無線通信システムでは、前記能力情報が保持され、
前記無線基地局は、
前記ユーザ装置の前記第１無線通信システムから前記第２無線通信システムへの遷移を制御する遷移制御部と、
前記遷移制御部によって前記ユーザ装置が前記第２無線通信システムに遷移する場合、前記カバレッジ拡張モードに対応するページング、及び前記カバレッジ拡張モード以外の非拡張モードに対応するページングを実行するページング実行部と
を備える無線基地局。
【請求項２】
前記ページング実行部は、前記カバレッジ拡張モードに対応するページング、または非拡張モードに対応するページングの何れか一方のページングを実行し、前記一方のページングが失敗した場合、他方のページングを実行する請求項１に記載の無線基地局。
【請求項３】
前記ページング実行部は、非拡張モードに対応するページングを先に実行する請求項２に記載の無線基地局。
【請求項４】
第１無線通信システムと、第２無線通信システムとを含む無線通信システムにおいて用いられるとともに、前記第２無線通信システムを構成する無線基地局であって、
前記第１無線通信システムでは、ユーザ装置がカバレッジ拡張モードに対応していることを示す能力情報が保持されず、
第２無線通信システムでは、前記能力情報が保持され、
前記無線基地局は、
前記ユーザ装置の前記第１無線通信システムから前記第２無線通信システムへの遷移を制御する遷移制御部と、
前記ユーザ装置が前記カバレッジ拡張モード以外の非拡張モードであることを示す情報要素を含む前記能力情報を、前記第２無線通信システムを構成するネットワーク装置から取得する能力情報取得部と、
前記能力情報取得部によって前記情報要素を含む前記能力情報が取得された場合、前記非拡張モードに対応するページングを実行するページング実行部と
を備える無線基地局。
【請求項５】
第１無線通信システムと、第２無線通信システムとを含む無線通信システムにおいて用いられるとともに、前記第２無線通信システムを構成する無線基地局であって、
前記第１無線通信システムでは、ユーザ装置がカバレッジ拡張モードに対応していることを示す能力情報が保持されず、
第２無線通信システムでは、前記能力情報が保持され、
前記無線基地局は、
前記ユーザ装置の前記第１無線通信システムから前記第２無線通信システムへの遷移を制御する遷移制御部と、
前記遷移制御部によって前記ユーザ装置が前記第２無線通信システムに遷移する場合、前記ユーザ装置の能力情報を問い合わせる能力問い合わせを前記ユーザ装置に送信し、前記ユーザ装置が前記カバレッジ拡張モードに対応しているか否かを含む能力情報を、前記ユーザ装置から取得する能力問い合わせ部と、
前記能力問い合わせ部によって取得された前記能力情報に基づいて、前記カバレッジ拡張モードに対応するページング、または前記カバレッジ拡張モード以外の非拡張モードに対応するページングを実行するページング実行部と
を備える無線基地局。
【請求項６】
前記能力問い合わせ部は、前記ユーザ装置から取得した前記能力情報を、前記第１無線通信システムを構成するネットワーク装置、及び前記第２無線通信システムを構成するネットワーク装置の少なくとも何れかに送信する請求項５に記載の無線基地局。
【請求項７】
第１無線通信システムと、第２無線通信システムとを含む無線通信システムにおいて用いられる無線通信方法であって、
前記第１無線通信システムでは、ユーザ装置がカバレッジ拡張モードに対応していることを示す能力情報が保持されず、
第２無線通信システムでは、前記能力情報が保持され、
前記第２無線通信システムを構成する無線基地局が、前記ユーザ装置の前記第１無線通信システムから前記第２無線通信システムへの遷移を制御するステップと、
前記ユーザ装置が前記第２無線通信システムに遷移する場合、前記無線基地局が、前記カバレッジ拡張モードに対応するページング、及び前記カバレッジ拡張モード以外の非拡張モードに対応するページングを実行するステップと
を含む無線通信方法。
【請求項８】
第１無線通信システムと、第２無線通信システムとを含む無線通信システムにおいて用いられる無線通信方法であって、
前記第１無線通信システムでは、ユーザ装置がカバレッジ拡張モードに対応していることを示す能力情報が保持されず、
第２無線通信システムでは、前記能力情報が保持され、
前記第２無線通信システムを構成する無線基地局が、前記ユーザ装置の前記第１無線通信システムから前記第２無線通信システムへの遷移を制御するステップと、
前記無線基地局が、前記ユーザ装置が前記カバレッジ拡張モード以外の非拡張モードであることを示す情報要素を含む前記能力情報を、前記第２無線通信システムを構成するネットワーク装置から取得するステップと、
前記無線基地局が、前記情報要素を含む前記能力情報が取得した場合、前記非拡張モードに対応するページングを実行するステップと
を含む無線通信方法。
【請求項９】
第１無線通信システムと、第２無線通信システムとを含む無線通信システムにおいて用いられる無線通信方法であって、
前記第１無線通信システムでは、ユーザ装置がカバレッジ拡張モードに対応していることを示す能力情報が保持されず、
第２無線通信システムでは、前記能力情報が保持され、
前記第２無線通信システムを構成する無線基地局が、前記ユーザ装置の前記第１無線通信システムから前記第２無線通信システムへの遷移を制御するステップと、
前記ユーザ装置が前記第２無線通信システムに遷移する場合、前記無線基地局が、前記ユーザ装置の能力情報を問い合わせる能力問い合わせを前記ユーザ装置に送信するステップと、
前記無線基地局が、前記ユーザ装置が前記カバレッジ拡張モードに対応しているか否かを含む能力情報を前記ユーザ装置から取得するステップと
を含む無線通信方法。
【発明の詳細な説明】
【技術分野】
【０００１】
本発明は、カバレッジ拡張モードに対応したユーザ装置を制御する無線基地局及び無線通信方法に関する。
【背景技術】
【０００２】
3rd Generation Partnership Project（3GPP）は、Long Term Evolution（LTE）を仕様化し、LTEのさらなる高速化を目的としてLTE-Advanced（以下、LTE-Advancedを含めてLTEという）を仕様化している。また、3GPPでは、さらに、5G（5th generation mobile communication system）などと呼ばれるLTEの後継システムの仕様が検討されている。【０００３】
LTEのRelease-13以降では、Internet of Things（IoT）モジュールなどの安価な端末（ユーザ装置）用のカテゴリが規定されている。具体的には、bandwidth reduced low complexity UE（BL UE）用として、カテゴリM1, M2（以下、Cat.M）が仕様化されている。【０００４】
また、このようなBL UEに関連する規定として、セルのカバレッジ拡張と同様の効果を目的としたカバレッジ拡張モード（Coverage Enhancement (CE)）が規定されている。なお、カバレッジ拡張モードは、BL UEに限定されておらず、他のカテゴリ（非拡張モード）のUEもサポート可能である。【０００５】
カバレッジ拡張モードとしては、Random Access Channel（RACH）プレアンブルの繰り返し送信回数などが異なる複数のモード（CE Mode A及びCE Mode B）が規定されている。このため、カバレッジ拡張モードを適用しているか否か、また、何れのカバレッジ拡張モードを適用しているかによって、ページングの送信チャネル及び繰り返し回数も異なる。【０００６】
そこで、コアネットワークから無線基地局（eNB）に通知されるS1アプリケーションプロトコル（S1-AP）のメッセージとして、UE Radio Capability for Pagingが規定されている（非特許文献１参照）。【０００７】
UE Radio Capability for Pagingには、UEがCat.Mに対応しているか否か、及びカバレッジ拡張モードに対応しているか否かを示す情報要素（IE）が含まれている。コアネットワークが、eNBにページングメッセージ（具体的には、S1-AP Paging）を送信する際、当該メッセージ内にUE Radio Capability for Pagingを設定することによって、eNBは、UE Radio Capability for Pagingに基づいて、当該UEに対して適切なページングを送信することができる。【０００８】
UE Radio Capability for Pagingは、eNBが、UE Capability Enquiry手順によってUEから取得され、コアネットワークへ通知される。コアネットワークは、UE Radio Capability for Pagingを保持する。一方、3G（Universal Mobile Telecommunications System (UMTS)）のコアネットワークではUE Radio Capability for Pagingを保持しないことが規定されている（非特許文献２参照）。
【先行技術文献】
【非特許文献】
【０００９】
【非特許文献１】3GPP TS 36.413 V13.6.0 Subclause 9.2.1.98 UE Radio Capability for Paging, 3rd Generation Partnership Project; Technical Specification Group Radio Access Network; Evolved Universal Terrestrial Radio Access Network (E-UTRAN); S1 Application Protocol (S1AP)(Release 13)、3GPP、2017年6月
【非特許文献２】3GPP TS 23.401 V13.11.0 5.11.4 UE Radio Capability for Paging Information, 3rd Generation Partnership Project; Technical Specification Group Services and System Aspects; General Packet Radio Service (GPRS) enhancements for  Evolved Universal Terrestrial Radio Access Network (E-UTRAN) access (Release 13)、3GPP、2017年6月
【発明の概要】
【００１０】
しかしながら、UE Radio Capability for Pagingが3G（UMTS）側で保持されない場合、次のような問題がある。具体的には、UEが3GからLTEに遷移（ハンドオーバまたはセル再選択）してきた場合、遷移先であるLTEのコアネットワークは、UE Radio Capability for Pagingを保持していない。この状態において、ページングの送信契機となった場合、S1-AP PagingにはUE Radio Capability for Pagingが設定されず、当該S1-AP Pagingを受信したeNBは、当該UEがCat.Mに非対応、及びカバレッジ拡張モードに非対応のUEと認識してしまう。
【００１１】
このため、遷移したUEがBL UEであり、カバレッジ拡張モードに対応している場合、eNBが、BL UEでない通常のUE向けのページングを実行してしまうことが想定され、BL UEは、このようなページングを正しく受信できない。
【００１２】
そこで、本発明は、このような状況に鑑みてなされたものであり、BL UEが3G（UMTS）からLTEに遷移する場合でも、当該BL UEに対して適切なページングを実行し得る無線基地局及び無線通信方法の提供を目的とする。
【００１３】
本発明の一態様は、第１無線通信システム（3Gシステム20）と、第２無線通信システム（LTEシステム30）とを含む無線通信システム（無線通信システム10）において用いられるとともに、前記第２無線通信システムを構成する無線基地局（eNB100B）であって、前記第１無線通信システムでは、ユーザ装置（UE50）がカバレッジ拡張モード（CE Mode）に対応していることを示す能力情報（UE Capability）が保持されず、第２無線通信システムでは、前記能力情報が保持され、前記無線基地局は、前記ユーザ装置の前記第１無線通信システムから前記第２無線通信システムへの遷移を制御する遷移制御部（遷移制御部130）と、前記遷移制御部によって前記ユーザ装置が前記第２無線通信システムに遷移する場合、前記カバレッジ拡張モードに対応するページング、及び前記カバレッジ拡張モード以外の非拡張モードに対応するページングを実行するページング実行部（ページング実行部120）とを備える。
【００１４】
本発明の一態様は、第１無線通信システムと、第２無線通信システムとを含む無線通信システムにおいて用いられるとともに、前記第２無線通信システムを構成する無線基地局であって、前記第１無線通信システムでは、ユーザ装置がカバレッジ拡張モードに対応していることを示す能力情報が保持されず、第２無線通信システムでは、前記能力情報が保持され、前記無線基地局は、前記ユーザ装置の前記第１無線通信システムから前記第２無線通信システムへの遷移を制御する遷移制御部と、前記ユーザ装置が前記カバレッジ拡張モード以外の非拡張モードであることを示す情報要素（ue-CategoryDL-v1310： Option OFF, ce-ModeA-r13, ce-ModeB-r13： Option OFF）を含む前記能力情報を、前記第２無線通信システムを構成するネットワーク装置から取得する能力情報取得部（能力情報取得部140）と、前記能力情報取得部によって前記情報要素を含む前記能力情報が取得された場合、前記非拡張モードに対応するページングを実行するページング実行部とを備える。
【００１５】
本発明の一態様は、第１無線通信システムと、第２無線通信システムとを含む無線通信システムにおいて用いられるとともに、前記第２無線通信システムを構成する無線基地局であって、前記第１無線通信システムでは、ユーザ装置がカバレッジ拡張モードに対応していることを示す能力情報が保持されず、第２無線通信システムでは、前記能力情報が保持され、前記無線基地局は、前記ユーザ装置の前記第１無線通信システムから前記第２無線通信システムへの遷移を制御する遷移制御部と、前記遷移制御部によって前記ユーザ装置が前記第２無線通信システムに遷移する場合、前記ユーザ装置の能力情報を問い合わせる能力問い合わせ（UE Capability Enquiry）を前記ユーザ装置に送信し、前記ユーザ装置が前記カバレッジ拡張モードに対応しているか否かを含む能力情報を、前記ユーザ装置から取得する能力問い合わせ部（能力問い合わせ部150）と、前記能力問い合わせ部によって取得された前記能力情報に基づいて、前記カバレッジ拡張モードに対応するページング、または前記カバレッジ拡張モード以外の非拡張モードに対応するページングを実行するページング実行部とを備える。
【００１６】
本発明の一態様は、第１無線通信システムと、第２無線通信システムとを含む無線通信システムにおいて用いられる無線通信方法であって、前記第１無線通信システムでは、ユーザ装置がカバレッジ拡張モードに対応していることを示す能力情報が保持されず、第２無線通信システムでは、前記能力情報が保持され、前記第２無線通信システムを構成する無線基地局が、前記ユーザ装置の前記第１無線通信システムから前記第２無線通信システムへの遷移を制御するステップと、前記ユーザ装置が前記第２無線通信システムに遷移する場合、前記無線基地局が、前記カバレッジ拡張モードに対応するページング、及び前記カバレッジ拡張モード以外の非拡張モードに対応するページングを実行するステップとを含む。
【００１７】
本発明の一態様は、第１無線通信システムと、第２無線通信システムとを含む無線通信システムにおいて用いられる無線通信方法であって、前記第１無線通信システムでは、ユーザ装置がカバレッジ拡張モードに対応していることを示す能力情報が保持されず、第２無線通信システムでは、前記能力情報が保持され、前記第２無線通信システムを構成する無線基地局が、前記ユーザ装置の前記第１無線通信システムから前記第２無線通信システムへの遷移を制御するステップと、前記無線基地局が、前記ユーザ装置が前記カバレッジ拡張モード以外の非拡張モードであることを示す情報要素を含む前記能力情報を前記第２無線通信システムを構成するネットワーク装置から取得するステップと、前記無線基地局が、前記情報要素を含む前記能力情報が取得した場合、前記非拡張モードに対応するページングを実行するステップとを含む。
【００１８】
本発明の一態様は、第１無線通信システムと、第２無線通信システムとを含む無線通信システムにおいて用いられる無線通信方法であって、前記第１無線通信システムでは、ユーザ装置がカバレッジ拡張モードに対応していることを示す能力情報が保持されず、第２無線通信システムでは、前記能力情報が保持され、前記第２無線通信システムを構成する無線基地局が、前記ユーザ装置の前記第１無線通信システムから前記第２無線通信システムへの遷移を制御するステップと、前記ユーザ装置が前記第２無線通信システムに遷移する場合、前記無線基地局が、前記ユーザ装置の能力情報を問い合わせる能力問い合わせを前記ユーザ装置に送信するステップと、前記無線基地局が、前記ユーザ装置が前記カバレッジ拡張モードに対応しているか否かを含む能力情報を前記ユーザ装置から取得するステップとを含む。
【図面の簡単な説明】
【００１９】
【図１】図１は、無線通信システム10の全体概略構成図である。
【図２】図２は、eNB100Bの機能ブロック構成図である。
【図３】図３は、MME300の機能ブロック構成図である。
【図４】図４は、UE50に対するページングシーケンス（動作例１）を示す図である。
【図５】図５は、UE50に対するページングシーケンス（動作例２）を示す図である。
【図６】図６は、UE50に対するページング準備シーケンス（動作例３：Inter-RAT HO）を示す図である。
【図７】図７は、UE50に対するページング準備シーケンス（動作例３：Cell Reselection（Active Flag有））を示す図である。
【図８】図８は、UE50に対するページング準備シーケンス（動作例３：Cell Reselection（Active Flag無））を示す図である。
【図９】図９は、first idle-mode TAU after RAT changeに該当するUE50に対するページング準備シーケンス（動作例４．１）を示す図である。
【図１０】図１０は、first idle-mode TAU after RAT changeに該当するUE50に対するページング準備シーケンス（動作例４．２）を示す図である。
【図１１】図１１は、first idle-mode TAU after RAT changeに該当するUE50に対するページング準備シーケンス（動作例４．３）を示す図である。
【図１２Ａ】図１２Ａは、eNB100Bにおいて想定し得るUE50の能力情報とページングとの関係（動作例１）を示す図である。
【図１２Ｂ】図１２Ｂは、eNB100Bにおいて想定し得るUE50の能力情報とページングとの関係（動作例２）を示す図である。
【図１３】図１３は、eNB100B及びMME300のハードウェア構成の一例を示す図である。
【発明を実施するための形態】
【００２０】
以下、実施形態を図面に基づいて説明する。なお、同一の機能や構成には、同一または類似の符号を付して、その説明を適宜省略する。
【００２１】
（１）無線通信システムの全体概略構成
図１は、本実施形態に係る無線通信システム10の全体概略構成図である。無線通信システム10は、3G（UMTS）及びLTEに従った無線通信システムである。無線通信システム10は、3Gシステム20（第１無線通信システム）と、LTEシステム30（第２無線通信システム）とを含む。ユーザ装置50（以下、UE50）は、3Gシステム20及びLTEシステム30と接続し、無線通信を実行する。
【００２２】
3Gシステム20は、無線基地局100A（以下、BTS100A）、無線ネットワーク制御装置（以下、RNC200）、及びパケットアクセス制御ノード、具体的には、Serving GPRS Support Node（以下、SGSN210）を含む。RNC200及びSGSN210は、3Gシステム20のコアネットワークを構成するネットワーク装置である。
【００２３】
RNC200は、UE50及びBTS100Aの各種制御を実行する。SGSN210は、UE50が送受信するパケットデータ（ユーザデータ）を転送する。
【００２４】
LTEシステム30は、無線基地局100B（以下、eNB100B）及び移動管理エンティティ（以下、MME300）を含む。つまり、eNB100B及びMME300は、LTEシステム30を構成する。MME300は、eNB100Bを収容し、UE50に関するモビリティ制御及びベアラ制御などを実行する。MME300は、LTEシステム30のコアネットワークを構成するネットワーク装置である。
【００２５】
UE50は、BTS100Aと3Gに従った無線通信を実行する。また、UE50は、eNB100BとLTEに従った無線通信を実行する。つまり、UE50は、3GからLTEへの遷移、及びLTEから3Gへの遷移が可能である。
【００２６】
具体的には、UE50は、3G/LTE間でのInter-RAT（Radio Access Technology）ハンドオーバ（以下、Inter-RAT HOと適宜省略する）、及び3G/LTE間でのCell Reselectionを実行することができる。
【００２７】
また、UE50の種別は特に限定されないが、bandwidth reduced low complexity UE（BL UE）であってもよい。さらに、UE50は、カバレッジ拡張モード（CE Mode）に対応していてもよい。具体的には、UE50は、CE Mode A及びCE Mode B（3GPP TS36.213などを参照）に対応し得る。
【００２８】
CE Modeとは、受信電力レベル（RSRP/RSRQ）の閾値を段階的に引き下げることによって、等価的にセルのカバレッジを拡張する技術であり、モードに応じたランダムアクセス手順（RA手順）の試行回数も規定されている。
【００２９】
UE50は、UE50の各種能力（UEカテゴリ、キャリアアグリゲーション／デュアルコネクティビティ（CA/DC）バンド組み合わせ、MIMOレイヤなど）を示す能力情報を3Gシステム20及びLTEシステム30に通知することができる。能力情報には、UE50がCE Modeに対応している否かを示す情報も含まれる。
【００３０】
具体的には、UE50は、UE50が対応している能力を示すUE Capabilityを3Gシステム20及びLTEシステム30に通知する。
【００３１】
なお、3Gシステム20では、UE50がCE Modeに対応していることを示す能力情報が保持されない（TS 23.401 V13.11.0 5.11.4章（非特許文献２）参照）。一方、LTEシステム30では、UE50がCE Modeに対応していることを示す能力情報が保持される。
【００３２】
（２）無線通信システムの機能ブロック構成
次に、無線通信システム10の機能ブロック構成について説明する。具体的には、eNB100B及びMME300の機能ブロック構成について説明する。
【００３３】
（２．１）eNB100B
図２は、eNB100Bの機能ブロック構成図である。図２に示すように、eNB100Bは、無線通信部110、ページング実行部120、遷移制御部130、能力情報取得部140及び能力問い合わせ部150を備える。
【００３４】
無線通信部110は、LTE方式に従った無線通信を実行する。具体的には、無線通信部110は、UE50とLTE方式に従った無線信号を送受信する。当該無線信号には、ユーザデータまたは制御データが多重される。また、制御データは、無線リソース制御レイヤ（RRCレイヤ）のメッセージによって送受信される。
【００３５】
ページング実行部120は、UE50に対するページングを実行する。具体的には、ページング実行部120は、MME300から送信されたページングメッセージ（S1-AP Paging）を受信し、当該ページングメッセージに応じて、UE50にページングメッセージを送信する。
【００３６】
特に、本実施形態では、ページング実行部120は、遷移制御部130によってUE50がLTEシステム30に遷移する場合、UE50の種別（UEカテゴリ）に応じた複数の異なるページングを実行する。
【００３７】
具体的には、ページング実行部120は、CE Modeに対応するページング、及びCE Mode以外の非拡張モードに対応するページング（RRC Paging）を実行することができる。つまり、ページング実行部120は、UE50が3Gシステム20からLTEシステム30に遷移する場合、CE Modeに対応するページングと、非拡張モードに対応するページングとの二種類のページングを同時期に合わせて実行する。
【００３８】
なお、非拡張モードは、CE Modeに対応していないユーザ装置を意味し、具体的には、BL UE（Cat.M）以外であり、CE Modeに非対応であるユーザ装置（Normal Mode UEという）を意味する。
【００３９】
また、ページング実行部120は、能力情報取得部140によって非拡張モードであることを示す情報要素（IE）を含むUE Capabilityが取得された場合、非拡張モードに対応するページングを実行することもできる。
【００４０】
具体的には、ページング実行部120は、MME300から受信したUE Radio Capability for Pagingに次のような情報要素が含まれている場合、非拡張モードに対応するページングを実行する。
【００４１】
・  ue-CategoryDL-v1310： Option OFF
・  ce-ModeA-r13, ce-ModeB-r13： Option OFF
このような情報要素は、BL UE（Cat.M）でないこと（ue-CategoryDL-v1310のオプションがオフ）、及びCE Modeでないこと（ce-ModeA-r13, ce-ModeB-r13のオプションがオフ）を明示的に示している。
【００４２】
また、ページング実行部120は、能力問い合わせ部150によって取得されたUE50のUE Capabilityに基づいて、CE Modeに対応するページング、またはCE Mode以外の非拡張モードに対応するページングを実行することもできる。
【００４３】
具体的には、ページング実行部120は、当該UE CapabilityによってCE Modeに対応していることが示されている場合、CE Modeに対応するページングを実行する。一方、ページング実行部120は、当該UE CapabilityによってCE Modeに対応していないことが示されている場合、非拡張モード（Normal Mode UE）に対応するページングを実行する。
【００４４】
さらに、ページング実行部120は、CE Modeに対応するページング、またはNormal Mode UEに対応するページングの何れか一方のページングを実行し、当該一方のページングが失敗した場合、他方のページングを実行してもよい。
【００４５】
また、この場合、ページング実行部120は、非拡張モードに対応するページングを先に実行してもよい。
【００４６】
遷移制御部130は、UE50の3Gシステム20からLTEシステム30への遷移を制御する。具体的には、遷移制御部130は、3G/LTE間でのInter-RAT HO及びCell Reselectionを実行する。Inter-RAT HOは、Active（RRC_CONNECTED）状態のUE50を遷移させる手順であり、Cell Reselectionは、Idle状態のUE50を遷移させる手順である。
【００４７】
能力情報取得部140は、UE50の能力情報を取得する。具体的には、能力情報取得部140は、UE50が非拡張モード（Normal Mode UE）であることを示す情報要素（ue-CategoryDL-v1310及びce-ModeA-r13, ce-ModeB-r13）を含むUE CapabilityをMME300から取得する。
【００４８】
また、能力情報取得部140は、UE50によって送信されるUE Capability InformationによってUE Radio Capability for Pagingに関する情報要素、つまり、CE Modeに対応しているか否かを含むUE Capabilityなどが通知されなかった場合、当該情報要素（ue-CategoryDL-v1310及びce-ModeA-r13, ce-ModeB-r13）のオプションをオフとしたUE Radio Capability for Pagingを生成することができる。
【００４９】
能力問い合わせ部150は、UE50の能力情報の問い合わせを実行する。具体的には、能力問い合わせ部150は、遷移制御部130によってUE50がLTEシステム30に遷移する場合、UE50のUE Capabilityを問い合わせるUE Capability Enquiry（能力問い合わせ）をUE50に送信する。
【００５０】
また、能力問い合わせ部150は、UE50がCE Modeに対応しているか否かを含むUE CapabilityをUE50から取得する。具体的には、能力問い合わせ部150は、UE50によって送信されるUE Capability Informationを取得する。
【００５１】
さらに、能力問い合わせ部150は、UE50から取得したUE Capabilityを、SGSN210、及びMME300の少なくとも何れかに送信する。なお、能力問い合わせ部150が送信するUE Capabilityには、UE Radio Capability for Pagingに関する情報要素が通知されかった場合に、当該情報要素（ue-CategoryDL-v1310及びce-ModeA-r13, ce-ModeB-r13）のオプションをオフとした情報要素（ue-CategoryDL-v1310及びce-ModeA-r13, ce-ModeB-r13）のオプションをオフとしたUE Radio Capability for Pagingが含まれてもよい。
【００５２】
（２．２）MME300
図３は、MME300の機能ブロック構成図である。図３に示すように、MME300は、ページング処理部310、UE能力情報管理部320及びUE能力情報保持部330を備え4る。
【００５３】
ページング処理部310は、UE50に対するページングに関する処理を実行する。具体的には、ページング処理部310は、UE50に対する下りリンクデータの有無に応じて、所定のタイミングでUE50に対するページングメッセージをeNB100Bに送信する。
【００５４】
また、ページング処理部310は、UE50の能力情報を含むUE Radio Capability for PagingをeNB100Bに送信する。上述したように、UE Radio Capability for Pagingには、ue-CategoryDL-v1310及びce-ModeA-r13, ce-ModeB-r13の情報要素が含まれる。
【００５５】
UE能力情報管理部320は、UE50の能力情報を管理する。具体的には、UE能力情報管理部320は、UE50から送信されたUE Capability Informationに含まれるUE Capabilityを取得し、UE能力情報保持部330に保持させる。
【００５６】
また、UE能力情報管理部320は、他のネットワーク装置（加入者情報サーバ（HSS）など）から取得したUE50の能力情報を取得し、UE能力情報保持部330に保持させることもできる。
【００５７】
UE能力情報保持部330は、UE50を含む複数UEの能力情報を当該UEと対応付けて保持する。
【００５８】
（３）無線通信システムの動作
次に、無線通信システム10の動作について説明する。具体的には、UE50の能力に応じたページング動作について説明する。具体的には、UE50に対するページングの動作例１〜動作例４について説明する。
【００５９】
ここでは、UE50の能力は、BL UE（Cat.Mなど）か否か、及びCE Mode対応しているか否かによる複数のパターンが存在し得るものとし、ネットワーク側（無線基地局及びネットワーク装置）は、UE50の3Gシステム20からLTEシステム30への遷移時において、UE50の能力を認識していないものとする。つまり、上述したように、UE Radio Capability for Pagingが3G（UMTS）側では用いられないため、LTEシステム30（eNB100B）は、UE50の能力を認識できない。
【００６０】
ここで、図１２Ａは、eNB100Bにおいて想定し得るUE50の能力情報とページングとの関係（後述する動作例１対応）を示す。また、図１２Ｂは、eNB100Bにおいて想定し得るUE50の能力情報とページングとの関係（後述する動作例２対応）を示す。
【００６１】
図１２Ａ及び図１２Ｂに示すように、UE Radio Capability for Pagingは、Cat.M（ここでは、Cat M1を例に挙げる）及びCE Modeの対応状況に応じた組み合わせが存在する。
【００６２】
「Cat.M：非対応、CE Mode：非対応」とは、UE Radio Capability for PagingがMME300から通知されない場合が該当する。また、ここでは、CE Mode A, Bの対応有無までは判定せず、CE Mode対応か否かによって、ページング方法（周期及びチャネルなど）を決定する場合を想定する。勿論、CE Mode A, B対応の有無も判定し、ページングの繰り返し数を最適化してもよい。
【００６３】
例えば、UE50が、Cat.Mに対応しており、CE Modeに対応している場合、UE50は、BL UEまたはCE Mode対応（UE(CE)と表記）であるため、BL UE/UE(CE)向けのページングを実行する必要がある。一方、Normal Mode UE（つまり、CE Mode非対応）向けのページングは不要である。
【００６４】
また、「Cat.M：対応、CE Mode：非対応」は、3GPPの規定上、存在し得ない。一方、Cat.M非対応の場合には、CE Mode対応の有無に関わらず、BL UE/UE(CE)向けのページング、及びNormal Mode UE向けのページングを実行することが好ましい。
【００６５】
なお、「Cat.M：非対応、CE Mode：非対応」の場合、Normal Mode UE向けのページングのみを実行すればよいが、UE Radio Capability for Pagingに基づく情報を利用できない場合には、UE50の能力を認識できないため、BL UE/UE(CE)向けのページングも実行される（動作例１参照）。
【００６６】
つまり、eNB100Bが、UE50の能力情報であるUE Radio Capability for Pagingを利用できない場合、eNB100Bは、UE50がCE Mode非対応と誤認識してしまい、Normal Mode UE向けのページングを実行する問題があるが、動作例１〜３では、このような場合でも適切なページングを実行する例について説明する。
【００６７】
（３．１）動作例１
図４は、UE50に対するページングシーケンス（動作例１）を示す。本動作例では、UE50の能力に関わらず、BL UE/UE(CE)向けのページングと、Normal Mode UE（つまり、CE Mode非対応）向けのページングとの両方が実行される。
【００６８】
図４に示すように、UE50は、3Gシステム20からLTEシステム30への遷移（Inter-RAT HOまたはCell Reselection）を実行する（ステップ1）。
【００６９】
その後、UE50宛ての下り方向の通信が発生し、MME300は、eNB100Bにページングメッセージを送信する（ステップ2）。
【００７０】
eNB100Bは、当該ページングメッセージを受信すると、BL UE/UE(CE)向けのページングと、Normal Mode UE向けのページングの両方を実行する（ステップ3, 4）。
【００７１】
（３．２）動作例２
図５は、UE50に対するページングシーケンス（動作例２）を示す。本動作例では、Normal Mode UEに関する能力情報の通知を追加することによって、UE50がNormal Mode UEであるためにCE Mode非対応なのか、UE Radio Capability for Pagingが用いられない3Gシステム20から遷移してきたためにCE Mode対応が不明であるかを区別できるようにする。
【００７２】
以下、動作例１と異なる部分について説明する。MME300は、eNB100Bにページングメッセージを送信する（ステップ3）が、その際、UE50のUE Radio Capability for Pagingを送信する。上述したように、MME300が送信するUE Radio Capability for Pagingには、ue-CategoryDL-v1310及びce-ModeA-r13, ce-ModeB-r13の情報要素が含まれる。
【００７３】
また、ここで、ue-CategoryDL-v1310及びce-ModeA-r13, ce-ModeB-r13は、何れもOption OFFに設定される。これにより、UE50がBL UEではなく、CE Modeにも対応しておらず、Normal Mode UEであることが明示的に示される。
【００７４】
eNB100Bは、当該UE Radio Capability for Pagingに基づいて、UE50に対するページング種別を判定する（ステップ4）。具体的には、eNB100Bは、Normal Mode UE向けのページングを実行すると判定し、Normal Mode UE向けのページングを実行する（ステップ5）。
【００７５】
（３．３）動作例３
本動作例では、UE50の3Gシステム20からLTEシステム30への遷移時に、UE50から能力情報が取得される。以下、遷移方法またはUE50の状態の違いに応じたページングシーケンスについて説明する。
【００７６】
（３．３．１）Inter-RAT HOの場合
図６は、UE50に対するページング準備シーケンス（動作例３：Inter-RAT HO）を示す。以下、動作例１と異なる部分について説明する。RNC200は、Inter-RAT HO処理に伴って、HO From UTRAN CommandをUE50に送信する（ステップ3）。
【００７７】
UE50は、受信したHO From UTRAN Commandに応じて、RRC Connection ReconfigurationをeNB100Bに送信する（ステップ4）。
【００７８】
eNB100Bは、受信したRRC Connection Reconfigurationに応じて、HO NotifyをMME300に送信する（ステップ5）。また、eNB100Bは、UE Capability EnquiryをUE50に送信する（ステップ6）。
【００７９】
UE50は、受信したUE Capability Enquiryに応じて、UE50のUE Capabilityを含むUE Capability InformationをeNB100Bに返送する（ステップ7）。当該UE Capability（E-UTRA UE Capability）には、CE Mode対応を示す情報要素も含まれる。
【００８０】
eNB100Bは、受信したUE Capability Informationに基づいて、UE50のUE Capabilityを含むUE Capability Info IndicationをMME300に送信する（ステップ8）。その後、3G側（RNC200, SGSN210）において、UE50に関連する呼の解放処理が実行される（ステップ9）。
【００８１】
ステップ9までの処理が完了後、UE50に対するページングのタイミングでは、UE50のUE Capabilityが取得済みであるため、UE Radio Capability for Pagingを用いることができる。つまり、UE50に対して適切なページングを実行し得る。
【００８２】
（３．３．２）Cell Reselection（Active Flag有）の場合
図７は、UE50に対するページング準備シーケンス（動作例３：Cell Reselection（Active Flag有））を示す。
【００８３】
図７に示すように、UE50は、3Gシステム20からLTEシステム30へのCell Reselectionの実行に伴い、無線リソース制御レイヤ（RRCレイヤ）における設定をeNB100Bと実行する（ステップ1）。また、eNB100Bは、UE50のCell Reselectionに伴う初期メッセージをMME300と送受信する（ステップ2, 3）。
【００８４】
このようなシーケンスは、Cell Reselection時にUE50から起動されるTAU（Tracking Area Update）に従ったものである。
【００８５】
当該初期メッセージの送受信が完了すると、eNB100Bは、速やかにUE Capability EnquiryをUE50に送信する（ステップ4）。ここでは、TAUにおいて、Active Flagが有り（True）となっているため、UE50のUE Capabilityを即座に取得し、UE50に対するページングに備える。
【００８６】
UE50は、受信したUE Capability Enquiryに応じて、UE50のUE Capabilityを含むUE Capability InformationをeNB100Bに返送する（ステップ5）。
【００８７】
eNB100Bは、受信したUE Capability Informationに基づいて、UE50のUE Capabilityを含むUE Capability Info IndicationをMME300に送信する（ステップ6）。
【００８８】
eNB100Bは、さらにUE50とセキュリティに関するメッセージを送受信し、RRCレイヤにおける設定を確立する（ステップ7〜11）。
【００８９】
ステップ11までの処理が完了後、UE50に対するページングのタイミングでは、UE50のUE Capabilityが取得済みであるため、UE Radio Capability for Pagingを用いることができる。つまり、UE50に対して適切なページングを実行し得る。
【００９０】
（３．３．３）Cell Reselection（Active Flag無）の場合
図８は、UE50に対するページング準備シーケンス（動作例３：Cell Reselection（Active Flag無））を示す。以下、図７に示したCell Reselection（Active Flag有）の場合と異なる部分について主に説明する。
【００９１】
図８に示すように、Active Flag無しの場合、MME300は、UE Context Release CommandをeNB100Bに送信する（ステップ4）。つまり、MME300は、Non-Access Stratum（NAS）におけるTAU処理を完了し、UE50に関連する呼の解放を指示する。また、図８のシーケンス（Cell Reselection（Active Flag無））の場合、図７と比較すると、Initial Context Setup Requestは、送信されない。
【００９２】
eNB100Bは、受信したUE Context Release Commandに応じて、UE Capability EnquiryをUE50に送信し、UE Capability Informationを取得する（ステップ5, 6）。また、eNB100Bは、UE Capability Info IndicationをMME300に送信する（ステップ7）。
【００９３】
その後、eNB100Bは、UE50とのRRCレイヤにおけるコネクションを解放し、UE50のコンテキストを解放したことをMME300に通知する（ステップ8, 9）。
【００９４】
ステップ9までの処理が完了後、UE50に対するページングのタイミングでは、UE50のUE Capabilityが取得済みであるため、UE Radio Capability for Pagingを用いることができる。つまり、UE50に対して適切なページングを実行し得る。
【００９５】
（３．３．４）変更例
上述した動作例１（及び動作例２）では、BL UE/UE(CE)向けのページングと、Normal Mode UE向けのページングとの両方が実行されるため、無線リソースを余分に消費する問題がある。そこで、次のように変更してもよい。
【００９６】
具体的には、eNB100Bの初回ページングメッセージ（RRC Paging）送信時には、一方のチャネルでのみページングメッセージ（つまり、BL UE/UE(CE)向けまたはNormal Mode UE向けの何れか一方）を送信する。当該ページングメッセージに対する応答が確認できない場合、eNB100Bは、他方のチャネルでページングメッセージを送信する（或いは、両方のチャネルでページングメッセージを再送する）。
【００９７】
例えば、eNB100Bは、ページングメッセージ送信に対するUE50からの応答を待つタイマを設定し、タイマが満了するまでの間にUE50（S-TMSIなどのUE50関連のIDを保持しておく）からのRRC Connection Establishment手順が開始されるか待機する。
【００９８】
なお、少なくともIoT関連サービスの導入初期においては、Cat.M対応端末及びCE Mode対応端末の数は、Normal Mode UE（Legacy UE）に比べて非常に数が少ないと想定される。そこで、本変更例において、初回のページングでは、既存のNormal Mode UE向けのページングメッセージを送信すれば、確率的に当該ページングメッセージをUE50が正しく受信できる可能性を高め得る。これにより、無線リソースの浪費を軽減し得る。
【００９９】
また、上述した動作例３では、Cell Reselection（Active Flag無）の場合（図８参照）、MME300は、UE Context Release CommandをeNB100Bに送信していたが、このようなUE Context Release Commandを送信せずに、Cell Reselection（Active Flag有）の場合（図７参照）と同様の動作を実行するようにしてもよい。
【０１００】
つまり、Active Flag無しの場合であっても、初期メッセージ（Initial UE Message及びInitial Contest Setup Request）の送受信が完了後、eNB100Bは、速やかにUE Capability EnquiryをUE50に送信して、UE50のUE Capabilityを取得してもよい。
【０１０１】
（３．４）動作例４
本動作例では、MME300が、UE50が3Gシステム20からLTEシステム30に遷移後、つまり、RAT（Radio Access Technology）変更後、Idle状態のUE50からの最初のTracking Area Update（”first idle-mode TAU after RAT change”という）において、UE Radio Capability for Pagingを取得する動作例について説明する。
【０１０２】
また、本動作例でも、UE50は、Cat.Mなどに対応したBL UEであってもよい。
【０１０３】
（３．４．１）動作例４．１
図９は、first idle-mode TAU after RAT changeに該当するUE50に対するページング準備シーケンス（動作例４．１）を示す。
【０１０４】
図９に示すように、UE50は、3Gシステム20からLTEシステム30への遷移（RAT change）に伴い、Tracking Area Update（TAU）手順を起動する（ステップ0）。この結果、UE50及びeNB100Bは、Random Access Channel（RACH）を用いてランダムアクセス（RA）手順を実行する（ステップ1）。
【０１０５】
RA手順が完了すると、UE50は、TAU RequestをeNB100Bに送信する（ステップ2）。eNB100Bは、UE50から受信したTAU Requestに基づいて、TAU RequestをMME300に送信する（ステップ3）。
【０１０６】
MME300は、受信したTAU Requestに基づいて、当該TAU Requestが、UE50のLTEシステム30への遷移後における最初のTAUであることを認識する（ステップ4）。具体的には、MME300は、UE50から提供される4G-GUTI（Global Unique Temporary ID）に基づいて、最初のTAUであることを認識する。
【０１０７】
次いで、MME300は、Context RequestをSGSN210に送信する（ステップ5）。SGSN210は、Context Requestに対する応答であるContext Responseを返送する（ステップ6）。
【０１０８】
MME300は、Context Responseを受信すると、TAU Requestに対する応答であるTAU AcceptをeNB100Bに返送する（ステップ7）。eNB100Bは、MME300から受信したTAU Acceptに基づいて、TAU AcceptをUE50に送信する（ステップ8）。
【０１０９】
MME300は、TAU Acceptの送信後、S1 Release CommandをeNB100Bに送信する（ステップ9）。S1 Release Commandには、UE Radio Capability for Pagingを有していないことを示す情報（No UE Radio Capability for Paging）が含まれる。これにより、eNB100Bに対してUE50のUE Capabilityの取得を要求し得る。
【０１１０】
eNB100Bは、受信したS1 Release Commandに含まれるNo UE Radio Capability for Pagingの情報に基づいて、UE Capability EnquiryをUE50に送信する（ステップ10）。
【０１１１】
UE50は、受信したUE Capability Enquiryに応じて、UE50のUE Capabilityを含むUE Capability InformationをeNB100Bに返送する（ステップ11）。
【０１１２】
eNB100Bは、受信したUE Capability Informationに基づいて、UE50のUE Capabilityを含むUE Capability Info IndicationをMME300に送信する（ステップ12）。
【０１１３】
MME300は、受信したUE Capability Info Indicationに含まれるUE50のUE Capability（UE Radio Capability for Pagingを含む）を保持する（ステップ13）。
【０１１４】
その後、eNB100Bは、UE50とのRRCレイヤの接続を解放（ステップ14）し、S1 Release CompleteをMME300に送信する（ステップ15）。
【０１１５】
なお、MME300は、上述したように、first idle-mode TAU after RAT changeの場合のみ、本動作例に従った動作（No UE Radio Capability for Pagingを含むS1 Release Command（S1インタフェースにおける解放指示の送信）を実行する。以降のTAUでは、eNB100B及びMME300は、既にUE50のUE Radio Capability for Pagingの内容について認識しているため、このような動作は不要である。
【０１１６】
本動作例によれば、MME300から送信される新たなメッセージを追加することなく、UE50のUE Radio Capability for Pagingを取得し得る。
【０１１７】
（３．４．２）動作例４．２
図１０は、first idle-mode TAU after RAT changeに該当するUE50に対するページング準備シーケンス（動作例４．２）を示す。本動作例は、動作例４．１と類似しており、MME300は、UE Capability Info Indicationに代えて、UE Capabilityを含むS1 Release Complete（S1インタフェースにおける解放指示に対する完了応答）を受信することによって、UE50のUE Radio Capability for Pagingを取得する。以下、上述した動作例４．１と異なる部分について、主に説明する。
【０１１８】
図１０に示すように、ステップ0〜11は、動作例４．１のステップ1〜11と同様である。eNB100Bは、動作例４．１のようなUE Capability Info Indicationは送信せず、UE50とのRRCレイヤの接続を解放（ステップ12）し、S1 Release CompleteをMME300に送信する（ステップ13）。S1 Release Completeには、UE50のUE Capability（UE Radio Capability for Pagingを含む）が含まれる。
【０１１９】
本動作例によれば、動作例４．１と同様に、MME300から送信される新たなメッセージを追加することなく、UE50のUE Radio Capability for Pagingを取得し得る。
【０１２０】
（３．４．３）動作例４．３
図１１は、first idle-mode TAU after RAT changeに該当するUE50に対するページング準備シーケンス（動作例４．３）を示す。本動作例では、UE50の種別を問い合わせるメッセージが、MME300からeNB100Bに送信される。eNB100Bは、当該メッセージに応じて、UE50のUE Capabilityを取得する。以下、上述した動作例４．１と異なる部分について、主に説明する。
【０１２１】
図１１に示すように、ステップ0〜8は、動作例４．１のステップ0〜8と同様である。MME300は、TAU Acceptの送信後、UE Radio Capability Match Request（UE種別要求）をeNB100Bに送信する（ステップ9）。UE Radio Capability Match Requestには、UE50の種別（UEカテゴリ）を問い合わせる情報（Cat. M?）が含まれる。なお、ここでは、Cat.Mを前提としているが、BL UEであってもよいし、CE mode対応UEあってもよい。これにより、eNB100Bに対してUE50のUE Capabilityの取得を要求し得る。
【０１２２】
eNB100Bは、受信したUE Radio Capability Match Requestに含まれるCat. M?の情報に基づいて、UE Capability EnquiryをUE50に送信する（ステップ10）。具体的には、eNB100Bは、UE50がCat.Mである場合、UE Capability Enquiryを送信する。
【０１２３】
なお、eNB100Bは、UE50に対してUE50の種別を問い合わせ、UE50がCat.Mであることを示す応答を受信した場合、UE50がCat.Mであることを示す情報をMME300に送信してもよい。
【０１２４】
UE50は、受信したUE Capability Enquiryに応じて、UE50のUE Capabilityを含むUE Capability InformationをeNB100Bに返送する（ステップ11）。
【０１２５】
eNB100Bは、受信したUE Capability Informationに基づいて、UE50（Cat.M）のUE Capabilityを含むUE Radio Capability Match Response（UE種別応答）をMME300に送信する（ステップ12）。なお、eNB100Bは、UE50がCat.Mでない場合、UE50がCat.Mでないことを示す情報を含むUE Radio Capability Match Responseを送信してもよいし、UE50がCat.Mでないことを示す情報を含む別のメッセージをMME300に送信してもよい。
【０１２６】
また、eNB100Bは、UE50がCat.M（またはBL UE）である場合のみ、UE Capability Enquiryを送信するようにしてもよい。
【０１２７】
MME300は、受信したUE Radio Capability Match Responseに含まれるUE50のUE Capability（UE Radio Capability for Pagingを含む）を保持する（ステップ13）。
【０１２８】
MME300は、UE Radio Capability Match Responseを受信後、S1 Release CommandをeNB100Bに送信する（ステップ14）。
【０１２９】
その後、eNB100Bは、UE50とのRRCレイヤの接続を解放（ステップ15）し、S1 Release CompleteをMME300に送信する（ステップ16）。
【０１３０】
本動作例のUE Radio Capability Match Requestは、SRVCC（Single Radio Voice Call Continuity）を実行するUEに適用されるUE Radio Capability Match procedureを変更したものである。
【０１３１】
本動作例によれば、動作例４．１と同様に、MME300から送信される新たなメッセージを追加することなく、UE50のUE Radio Capability for Pagingを取得し得る。
【０１３２】
（４）作用・効果
上述した実施形態によれば、以下の作用効果が得られる。具体的には、無線通信システム10によれば、UE50が3Gシステム20からLTEシステム30に遷移する場合、BL UE/UE(CE)向けのページングと、Normal Mode UE（つまり、CE Mode非対応）向けのページングとの両方がUE50に対して実行される（動作例１参照）。
【０１３３】
このため、3Gシステム20においてUE50のUE Radio Capability for Pagingが用いられておらず、UE50がLTEシステム30に遷移し、UE50のUE Capability（特に、CE Mode対応）が認識できない場合でも、UE50に対して適切なページングを実行し得る。
【０１３４】
勿論、BL UE/UE(CE)向けのページング、及びNormal Mode UE向けのページングの何れか一方は、UE50が正しく受信できず、無線リソースを多少浪費するが、UE50がページングを正しく受信できない事態を確実に回避し得る。
【０１３５】
また、無線通信システム10によれば、eNB100Bは、UE50がCE Mode非対応のNormal Mode UEである場合、CE Modeに対応していない非拡張モード（つまり、Normal Mode UE）であることを示す情報要素を含むUE50のUE Capabilityを、MME300から取得することができる（動作例２参照）。
【０１３６】
このようにNormal Mode UEに関する能力情報の通知を追加することによって、UE50が、UE Radio Capability for Pagingが用いられていない3Gシステム20からLTEシステム30に遷移した場合でも、UE50に対して適切なページングを実行し得る。
【０１３７】
さらに、無線通信システム10によれば、eNB100Bは、UE50が3Gシステム20からLTEシステム30に遷移する場合、UE50のUE Capabilityを問い合わせるUE Capability Enquiry（能力問い合わせ）をUE50に送信し、UE50がCE Modeに対応しているか否かを含むUE CapabilityをUE50から取得することができる（動作例３参照）。
【０１３８】
このため、UE50が、UE Radio Capability for Pagingが用いられていない3Gシステム20からLTEシステム30に遷移した場合でも、UE50に対して適切なページングを実行し得る。
【０１３９】
なお、既存のUE Capabilityは、UE50が接続状態（Active状態、RRC_CONNECTED）の際に用いる機能に関する情報であるため、UE50がIdle状態から接続状態（Active状態）になる際に、UE Capabilityを取得すれば問題ない。つまり、UE50がIdle状態の場合、ネットワーク側がUE50のUE Capabilityを保持していなくても問題ない。
【０１４０】
一方、UE Radio Capability for Pagingに含まれるUE Capability（ue-CategoryDL-v1310など）は、UE50がIdle状態の際に用いる機能に関する情報であるため、UE50がIdle状態であっても、ネットワーク側がUE50の当該UE Capabilityを保持している必要がある。
【０１４１】
本実施形態では、eNB100Bは、UE50から取得したUE Capability Informationに含まれるUE Capabilityを、UE Capability Info Indicationを用いてMME300（またはSGSN210）に送信することができる（動作例３参照）。
【０１４２】
このため、MME300は、当該UE Capabilityに基づいて、UE50に対する適切なページングのeNB100Bに対する指示を実行し得る。
【０１４３】
（５）その他の実施形態
以上、実施形態に沿って本発明の内容を説明したが、本発明はこれらの記載に限定されるものではなく、種々の変形及び改良が可能であることは、当業者には自明である。
【０１４４】
例えば、上述した実施形態では、UE50がBL UE（Cat.M）に該当する例として説明したが、UE50は、Cat.Mでなく、Narrow Band Internet of Things（NB-IoT）用のUEであってもよい。
【０１４５】
また、上述した実施形態では、SGSN210を例として説明したが、他のパケットアクセス制御ノード（例えば、Gateway GPRS Support Node (GGSN)）であってもよい。
【０１４６】
さらに、上述した実施形態の説明に用いたブロック構成図（図２，３）は、機能ブロックを示している。これらの機能ブロック（構成部）は、ハードウェア及び／またはソフトウェアの任意の組み合わせによって実現される。また、各機能ブロックの実現手段は特に限定されない。すなわち、各機能ブロックは、物理的及び／または論理的に結合した１つの装置により実現されてもよいし、物理的及び／または論理的に分離した２つ以上の装置を直接的及び／または間接的に（例えば、有線及び／または無線）で接続し、これら複数の装置により実現されてもよい。
【０１４７】
さらに、上述したeNB100B及びeNB100B（当該装置）は、本発明の処理を行うコンピュータとして機能してもよい。図１３は、当該装置のハードウェア構成の一例を示す図である。図１３に示すように、当該装置は、プロセッサ1001、メモリ1002、ストレージ1003、通信装置1004、入力装置1005、出力装置1006及びバス1007などを含むコンピュータ装置として構成されてもよい。
【０１４８】
当該装置の各機能ブロック（図２，３参照）は、当該コンピュータ装置の何れかのハードウェア要素、または当該ハードウェア要素の組み合わせによって実現される。
【０１４９】
プロセッサ1001は、例えば、オペレーティングシステムを動作させてコンピュータ全体を制御する。プロセッサ1001は、周辺装置とのインタフェース、制御装置、演算装置、レジスタなどを含む中央処理装置（CPU）で構成されてもよい。
【０１５０】
メモリ1002は、コンピュータ読み取り可能な記録媒体であり、例えば、ROM（Read Only Memory）、EPROM（Erasable Programmable ROM）、EEPROM（Electrically Erasable Programmable ROM）、RAM（Random Access Memory）などの少なくとも１つで構成されてもよい。メモリ1002は、レジスタ、キャッシュ、メインメモリ（主記憶装置）などと呼ばれてもよい。メモリ1002は、上述した実施形態に係る方法を実行可能なプログラム（プログラムコード）、ソフトウェアモジュールなどを保存することができる。
【０１５１】
ストレージ1003は、コンピュータ読み取り可能な記録媒体であり、例えば、CD-ROM（Compact Disc ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ1003は、補助記憶装置と呼ばれてもよい。上述の記録媒体は、例えば、メモリ1002及び／またはストレージ1003を含むデータベース、サーバその他の適切な媒体であってもよい。
【０１５２】
通信装置1004は、有線及び／または無線ネットワークを介してコンピュータ間の通信を行うためのハードウェア（送受信デバイス）であり、例えばネットワークデバイス、ネットワークコントローラ、ネットワークカード、通信モジュールなどともいう。
【０１５３】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【０１５４】
また、プロセッサ1001及びメモリ1002などの各装置は、情報を通信するためのバス1007で接続される。バス1007は、単一のバスで構成されてもよいし、装置間で異なるバスで構成されてもよい。
【０１５５】
また、情報の通知は、上述した実施形態に限られず、他の方法で行われてもよい。例えば、情報の通知は、物理レイヤシグナリング（例えば、DCI（Downlink Control Information）、UCI（Uplink Control Information））、上位レイヤシグナリング（例えば、RRCシグナリング、MAC（Medium Access Control）シグナリング、報知情報（MIB（Master Information Block）、SIB（System Information Block））、その他の信号またはこれらの組み合わせによって実施されてもよい。また、RRCシグナリングは、RRCメッセージと呼ばれてもよく、例えば、RRC Connection Setupメッセージ、RRC Connection Reconfigurationメッセージなどであってもよい。
【０１５６】
さらに、入出力された情報は、特定の場所（例えば、メモリ）に保存されてもよいし、管理テーブルで管理してもよい。入出力される情報は、上書き、更新、または追記され得る。出力された情報は削除されてもよい。入力された情報は他の装置へ送信されてもよい。
【０１５７】
上述した実施形態におけるシーケンス及びフローチャートなどは、矛盾の無い限り、順序を入れ替えてもよい。
【０１５８】
また、上述した実施形態において、eNB100B及びMME300によって行われるとした特定動作は、他のネットワークノード（装置）によって行われることもある。また、複数の他のネットワークノードの組み合わせによってeNB100B及びMME300の機能が提供されても構わない。
【０１５９】
なお、本明細書で説明した用語及び／または本明細書の理解に必要な用語については、同一のまたは類似する意味を有する用語と置き換えてもよい。例えば、該当する記載がある場合、チャネル及び／またはシンボルは信号（シグナル）であってもよい。また、信号はメッセージであってもよい。また、「システム」及び「ネットワーク」という用語は、互換的に使用されてもよい。
【０１６０】
さらに、パラメータなどは、絶対値で表されてもよいし、所定の値からの相対値で表されてもよいし、対応する別の情報で表されてもよい。例えば、無線リソースはインデックスで指示されるものであってもよい。
【０１６１】
eNB100B（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【０１６２】
「セル」または「セクタ」という用語は、このカバレッジにおいて通信サービスを行う基地局、及び／または基地局サブシステムのカバレッジエリアの一部または全体を指す。さらに、「基地局」「eNB」、「セル」、及び「セクタ」という用語は、本明細書では互換的に使用され得る。基地局は、固定局（fixed station）、NodeB、eNodeB（eNB）、gNodeB（gNB）、アクセスポイント（access point）、フェムトセル、スモールセルなどの用語で呼ばれる場合もある。
【０１６３】
UE50は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１６４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１６５】
また、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１６６】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【０１６７】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【０１６８】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【産業上の利用可能性】
【０１６９】
上述したように、本発明によれば、BL UEが3G（UMTS）からLTEに遷移する場合でも、当該BL UEに対して適切なページングを実行し得るため、有用である。
【符号の説明】
【０１７０】
10  無線通信システム
20  3Gシステム
30  LTEシステム
50  UE
100A  BTS
100B  eNB
110  無線通信部
120  ページング実行部
130  遷移制御部
140  能力情報取得部
150  能力問い合わせ部
200  RNC
210  SGSN
300  MME
310  ページング処理部
320  UE能力情報管理部
330  UE能力情報保持部
1001  プロセッサ
1002  メモリ
1003  ストレージ
1004  通信装置
1005  入力装置
1006  出力装置
1007  バス
【図１】
2019030938.tif 000003
【図２】
2019030938.tif 000004
【図３】
2019030938.tif 000005
【図４】
2019030938.tif 000006
【図５】
2019030938.tif 000007
【図６】
2019030938.tif 000008
【図７】
2019030938.tif 000009
【図８】
2019030938.tif 000010
【図９】
2019030938.tif 000011
【図１０】
2019030938.tif 000012
【図１１】
2019030938.tif 000013
【図１２Ａ】
2019030938.tif 000014
【図１２Ｂ】
2019030938.tif 000015
【図１３】
2019030938.tif 000016
【国際調査報告】
2019030938.tif 000017
2019030938.tif 000018
2019030938.tif 000019
2019030938.tif 000020